(57)【要約】【目的】  モップ等の清掃用具として使用する場合は、清掃用具本体に対してハンドルを回動可能として清掃できる。箒として前後方向に掃いて使用する場合には、清掃用具本体に対してハンドルをロック保持でき、清掃用具本体がハンドルに対して回動することを阻止できる。このように、箒としても清掃し易い清掃用具を提供する。【構成】  清掃用具本体１上に一対の受部５、５が突設され、受部５、５にハンドル６の下端に設けられた継手７が回動可能に嵌合され、清掃用具本体１に対してハンドル６を回動可能とし、受部５、５にキー溝５ａ、５ａが設けられ、他方にキー溝５ａ、５ａに係合可能なキー７ａが設けられており、キー５ａ、５ａをキー溝５ａ、５ａに係合することにより、ハンドル６の回動を阻止して箒として使用可能とした。【選択図】  図６
2006271570.tif 000002
【特許請求の範囲】
【請求項１】
清掃用具本体上に一対の受部が突設され、これらの受部にハンドルの下端に設けられた継手が回動可能に嵌合されて、前記清掃用具本体に対してハンドルを回動可能とした清掃用具において、前記受部および継手のいずれか一方にキー溝が設けられ、他方に前記キー溝に係合可能なキーが設けられており、前記キーを前記キー溝に係合することにより、前記ハンドルの回動を阻止して使用可能としたことを特徴とする清掃用具。
【請求項２】
前記継手にはロック手段が設けられ、このロック手段は、前記キー溝に前記キーが係合された状態を保持するロック保持手段を有する請求項１に記載の清掃用具。
【請求項３】
前記ロック手段には、前記キー溝と前記キーとの係合状態を解除するロック解除手段が付加されている請求項２に記載の清掃用具。
【請求項４】
前記ロック手段は、前記継手に設けられた上下移動可能な回転体と、この回転体の表面に形成されたカム溝と、前記回転体の外側に設けられて前記カム溝に嵌めた突起とを有する請求項２又は３に記載の清掃用具。
【請求項５】
前記ロック保持手段は、前記カム溝に形成された頂部凹所を有し、この頂部凹所に前記突起が嵌入することにより前記キーが前記キー溝に係合された状態を保持するようにした請求項４に記載の清掃用具。
【請求項６】
前記ロック解除手段は、前記カム溝に形成された下部凹所と、前記継手を上向きに付勢するスプリングとを有し、カム溝に設けられた頂部凹所に前記突起が嵌入されたロック保持状態から前記継手を押入することにより前記回転体を押下して前記突起の前記頂部凹所への嵌入状態を解除し、前記スプリングの付勢力で前記継手が上向きに移動するとともに前記カム溝の下部凹所に前記突起が嵌入することにより、前記キーと前記キー溝のロック保持状態が解除されるようにした請求項４に記載の清掃用具。
【請求項７】
前記スプリングは、前記継手の下側に設けられた筒状部の内部と前記継手の底部のバネ受けとの間に配設されている請求項６に記載の清掃用具。
【請求項８】
前記カム溝には、上側に波状部が設けられ、前記突起が前記スプリングの付勢力で前記波状部の傾斜部分に当接したときに、その水平分力によって前記回転体が所定の向きに回転されるようにした請求項４〜７のいずれかに記載の清掃用具。
【請求項９】
前記ロック保持手段は、前記継手から下向きに突設され外向きに付勢される弾性脚部と、前記受部の縦壁部に穿設された係止孔とを有し、前記弾性脚部の突起部がその付勢力で前記係止孔に係入することによりロック保持するようにした請求項２又は３に記載の清掃用具。
【請求項１０】
前記ロック解除手段は、前記受部の縦壁部の外側からこの縦壁部に設けられた係止孔に挿入される押圧手段と、この押圧手段を前記縦壁部の外方へ付勢する付勢する付勢手段とで構成され、この係止孔に内側から係入する前記弾性脚部の突起部を前記押圧手段で内向きに押し出し可能に構成した請求項９に記載の清掃用具。
【請求項１１】
前記縦壁部に設けられた係止孔へ係入された弾性脚部の突起部を、前記縦壁部の外側から手動によって縦壁部の内部へ向けて押し出してロック解除可能にした請求項９に記載の清掃用具。
【発明の詳細な説明】
【技術分野】
【０００１】
本発明は、清掃用具本体に対してハンドルを回動することが可能とともに、清掃用具本体に対してハンドルの回動を阻止することが可能な清掃用具に関するものである。
【背景技術】
【０００２】
従来のモップは、パイルが植設された清掃部材を把持部に取り付け、この把持部にハンドルの下端の継手を回動可能に装着して、ハンドルを持って清掃部材で床等を清掃するものであった。清掃時に把持部がハンドルに対して回動するから、ハンドルを傾倒制御しながらパイル面を床に常に接触させて効率的に清掃作業を行える。また、従来の箒はハンドルの下端に箒部材を固定的に取り付けた構造であるから、ハンドルを前後に動かすことにより、箒部材を強く床面に押接しながら掃くことが可能であった。この掃き操作はハンドルと箒部材との固定接続により可能となっていた。従って、モップにおいては、把持部に対してハンドルが回動可能となっているから、このモップを箒として使用することには困難がある。また、箒においては、ハンドルの下端に箒部材が固定状態で取り付けられているから、モップとして使用することには不向きである。
【０００３】
図１４は特開平８−２２８９８５により開示される第１従来技術の清掃具等柄のモップを示し、（１４Ａ）はその分解斜視図、（１４Ｂ）はその継手の分解斜視図である。（１４Ａ）及び（１４Ｂ）によって一括して説明すると、この従来の清掃具等柄の継手は、モップ清掃具等の本体部１０６に基板１０１が取り付けられている。この基板１０１の上面から前後方向に間隔をおいて板状の第１軸受け１０２、１０２が起立されている。第１軸受け１０２、１０２の各内壁面へ球状部材１２０における球状体１２１の前後両部に設けた第1垂直面１２２、１２２が面接触される。
【０００４】
更に、第１軸受け１０２、１０２に設けられた第１軸孔１０３、１０３内に、球状体１２１の第１垂直面１２２、１２２から突出する第１軸１２４、１２４が強制回動可能に嵌合される。また、球状体１２１の左右両部に設けられた第２垂直面１２３、１２３の中央部から第２軸１２５、１２５が突出されている。柄１４０には板状の第２軸受け１４３、１４３が設けられ、この第２軸受け１４３、１４３に球状体１２１の第２垂直面１２３、１２３が面接触される。上記第２軸受け１４３、１４３は柄１４０の棒部１４２の基端面の左右両部から二叉状に突出されている。第２軸受け１４３、１４３に設けられた第２軸孔１４４、１４４内に球状体１２１の第２軸１２５、１２５が強制回動自在に嵌合される。
【０００５】
上記構成により、左右方向（Ａ）へは球状部材１２０が第１軸受け１０２、１０２に対して回動する。また、前後方向（Ｂ）へは柄１４０の第２軸受け１４３、１４３が球状部材１２０に対して回動する。更に、第１軸１２４、１２４を中心とする回動で柄１４０を図にて左方へ傾けた状態から第２軸１２５、１２５を中心とする回動で柄１４０を後方へ傾ける。従って、柄１４０は本体部１０６に対して左方と後方との中間へ移動させることができ、本体部１０６に対して球状部材１２０が、また球状部材１２０に対して柄１４０が３６０°回動する。
【０００６】
更に、第１垂直面１２２、１２２と第１軸受け１０２、１０２の内壁面が面接触するとともに、第２垂直面１２３、１２３と第２軸受け１４３、１４３の内面が面接触する。この面接触により、接触部に摩擦力が発生し、強制回動することになる。従って、使用時において、柄１４０に対して本体部１０６が盲動することなく本体部１０６の所望の向きを保持することができる。
【０００７】
また、図１５は特開平９−２７６１９５により開示される第２従来技術の箒（清掃具）を示し、（１５Ａ）はその正面図、（１５Ｂ）は拭布を取り付けた状態の清掃具の側面図である。（１５Ａ）及び（１５Ｂ）によって一括して説明すると、この従来の清掃具は、箒状の清掃具主体２０２Ａの弾性プレート２０５Ａが可撓性及び弾性を有する素材により平板状に形成されている。この弾性プレート２０５Ａが柄２０３の下端に固定された基板２０４Ａに縦向きに取付けられ、この弾性プレート２０５Ａの下面及び前後面を覆うように拭布２０１が包着される。この状態で、箒と同様に使用することにより、拭布に付着しない大きな塵埃は塵取りで掃き取りながら、微小な塵埃は拭布２０１に付着させて拭き取ることができる。
【特許文献１】特開平８−２２８９８５号公報
【特許文献２】特開平９−２７６１９５号公報
【発明の開示】
【発明が解決しようとする課題】
【０００８】
上記した第１従来技術の清掃具等柄（モップ）の継手は、柄１４０に対して本体部１０６が前後方向、左右方向及び前後左右の中間方向に向けて回動するものである。また、強制回動可能に設けたから、使用時において、柄１４０に対して本体部１０６が所望の向きを保持することができるものである。しかし、柄１４０を持って前後方向に強く掃くと、その強く掃く力によって本体部１０６の強制状態が解除されて本体部１０６が柄１４０に対して水平方向へ横向きになったり、斜め向きになってしまう。従って、柄１４０を持って前後方向に掃く作業が行い難く支障をきたすという問題があった。また、前後方向に回動可能となっているので、柄１４０を持って前後方向に掃くと、柄１４０が本体部１０６に対して前後方向に回動するから、この掃く作業が行い難いという問題があった。
【０００９】
また、上記した第２従来技術の清掃具（箒）は、柄２０３を持って弾性プレート２０５Ａで前後方向に掃くことはできる。しかし、弾性プレート２０５Ａが柄２０３に対し固定されているために、この弾性プレート２０５Ａを柄２０３に対して左右向きや斜め向きにして掃くことができなかった。従って、机やベッドの下等の狭い領域に、弾性プレート２０５Ａを入れて清掃することができないという問題があった。このように、弾性プレート２０５Ａを柄２０３に対して所望の向きにすることが全くできず、場所によっては部屋の隅々まで清掃できない場合があり、使い勝手が悪いという問題があった。
【００１０】
本発明は、上記従来の問題に鑑みてなされたものであって、清掃用具本体に対してハンドルを回動可能にして清掃することができる。また、前後方向に掃いて使用する場合には、清掃用具本体に対してハンドルをロック保持でき、清掃用具本体がハンドルに対して回動することを阻止できて清掃し易い清掃用具を提供することを目的とする。
【課題を解決するための手段】
【００１１】
本発明は、上記課題を解決するために提案されたものであって、本発明の第１の形態は、清掃用具本体上に一対の受部が突設され、これらの受部にハンドルの下端に設けられた継手が回動可能に嵌合され、前記清掃用具本体に対してハンドルを回動可能とした清掃用具において、前記受部および継手のいずれか一方にキー溝が設けられ、他方に前記キー溝に係合可能なキーが設けられており、前記キーを前記キー溝に係合することにより、前記ハンドルの回動を阻止して使用可能とした清掃用具である。
【００１２】
本発明の第２の形態は、前記第１の形態において、前記継手にはロック手段が設けられ、このロック手段は、前記キー溝に前記キーが係合された状態を保持するロック保持手段を有する清掃用具である。
【００１３】
本発明の第３の形態は、前記第２の形態において、前記ロック手段には、前記キー溝と前記キーとの係合状態を解除するロック解除手段が付加されている清掃用具である。
【００１４】
本発明の第４の形態は、前記第２又は第３の形態において、前記ロック手段が、前記継手に設けられた上下移動可能な回転体と、この回転体の表面に形成されたカム溝と、前記回転体の外側に設けられて前記カム溝に嵌めた突起とを有する清掃用具である。
【００１５】
本発明の第５の形態は、前記第４の形態において、前記ロック保持手段が、前記カム溝に形成された頂部凹所を有し、この頂部凹所に前記突起が嵌入することにより前記キーが前記キー溝に係合された状態を保持するようにした清掃用具である。
【００１６】
本発明の第６の形態は、前記第４の形態において、前記ロック解除手段が、前記カム溝に形成された下部凹所と、前記継手を上向きに付勢するスプリングとを有し、カム溝に設けられた頂部凹所に前記突起が嵌入されたロック保持状態から前記継手を押入することにより前記回転体を押下して前記突起の嵌入状態を解除し、前記スプリングの付勢力で前記継手が上向きに移動するとともに前記カム溝の下部凹所に前記突起が嵌入することにより、前記キーと前記キー溝のロック保持状態が解除されるようにした清掃用具である。
【００１７】
本発明の第７の形態は、前記第６の形態において、前記スプリングが、前記継手の下側に設けられた筒状部の内部と前記継手の底部のバネ受けとの間に配設されている清掃用具である。
【００１８】
本発明の第８の形態は、前記第４〜第７のいずれかの形態において、前記カム溝には、上側に波状部が設けられ、前記突起が前記スプリングの付勢力で前記波状部の傾斜部分に当接したときに、その水平分力によって前記回転体が所定の向きに回転されるようにした清掃用具である。
【００１９】
本発明の第９の形態は、前記第２又は第３の形態において、前記ロック保持手段が、前記継手から下向きに突設され外向きに付勢される弾性脚部と、前記受部の縦壁部に穿設された係止孔とを有し、前記弾性脚部の下端の突起部がその付勢力で前記係止孔に係入することによりロック保持するようにした清掃用具である。
【００２０】
本発明の第１０の形態は、前記第９の形態において、前記ロック解除手段が、前記受部の縦壁部の外側からこの縦壁部に設けられた係止孔に挿入される押圧手段と、この押圧手段を前記縦壁部の外方へ付勢する付勢する付勢手段とで構成され、この係止孔に内側から係入する前記弾性脚部の突起部を前記押圧手段で内向きに押し出し可能に構成した清掃用具である。
【００２１】
本発明の第１１の形態は、前記第９の形態において、前記縦壁部に設けられた係止孔へ係入された弾性脚部の突起部を、前記縦壁部の外側から手動によって縦壁部の内部へ向けて押し出してロック解除可能にした清掃用具である。  
【発明の効果】
【００２２】
本発明の第１の形態によれば、キーとキー溝の係合を解除している場合には、本来の清掃用具として使用できる。即ち、清掃用具本体に対してハンドルが回動可能となっているので、机やベッドの比較的広い下側を清掃するときに、横向きにした清掃用具本体に対してハンドルを前後方向へ斜め向きにして清掃することができ、狭い隙間に清掃用具本体を挿入して清掃することも可能である。
【００２３】
また、キーをキー溝に係合させて清掃用具本体に対してハンドルの回動を阻止することにより、清掃用具本体とハンドルとを一体化して清掃することができる。この場合、ハンドルを前後方向に動かすことにより、清掃用具本体がハンドルと一体的に前後方向に移動して床等の塵埃を清掃することができる。清掃用具本体には、清掃部材と把持部が一体のものや別体のものが含まれる。清掃部材には、パイル状繊維体、クロス状繊維体、スポンジ、ブラシその他の清拭具が含まれる。
【００２４】
本発明の第２の形態によれば、キーとキー溝のロック手段において、ロック保持手段を設けることにより、キーがキー溝に係合した状態を保持することができ、清掃中にキーとキー溝の係合状態が解除されることを防止することができる。従って、使用する場合に、係合保持されるから、ハンドルを前後方向に動かし、これに伴って清掃用具本体を回動することなく前後方向に移動させて掃き清掃を可能にする。
【００２５】
本発明の第３の形態によれば、ロック解除手段によって、キー溝とキーとの係合状態を解除して、清掃用具本体に対してハンドルを回動可能な状態として、通常の清掃用具として使用できる。この場合、左右方向に向けた清掃用具本体に対してハンドルを前後斜め向きにして、机やベッドの下側の比較的広い領域に清掃用具本体を押し込んで清掃することができる。また清掃用具本体をハンドルに対して前後向きにして狭い隙間に清掃用具本体を押し込んで清掃することも可能である。
【００２６】
本発明の第４の形態によれば、ロック手段が上下移動可能な回転体の表面のカム溝に突起を嵌めた構造であるから、キー溝とキーのロック保持とロック解除を正確に行うことができる。即ち、突起がカム溝に嵌められている状態で回転体が下向きに移動し、これに伴って継手が下向きに移動した状態で突起をカム溝に係合する。この状態では、キー溝にキーが係合したロック保持状態となる。また、突起とカム溝の係合状態が解除されると、回転体が上向きに移動し、これに伴って継手が上向きに移動してキー溝とキーの係合状態が解除されてロック解除状態となる。
【００２７】
ロック保持するためのカム溝の深さを深く形成すると、このカム溝に突起を確実に保持することができ、ロック保持状態を強固にすることができる。また、カム溝の深さを比較的浅く形成すると、突起をこのカム溝からロック解除するために別に設けたカム溝に容易に移行することができる。従って、ロック保持状態からロック解除状態にスムーズに移行することができる。
【００２８】
本発明の第５の形態によれば、ハンドルを下向きに押下すると継手が下向きに移動してカム溝の頂部凹所に突起が嵌入し、この状態でロック保持状態となる。即ち、カム溝の頂部凹所に突起が嵌入すると回転体が下向きに移動した状態となる。これに伴って継手が下向きに移動した状態が保持されてキー溝にキーが係合した状態を保持することができる。即ち、カム溝の頂部凹所に突起が嵌入されると、回転体が下向きに移動した状態を保持することができるので、この回転体の下向きへの移動によって、キーをキー溝に係合することができる。
【００２９】
従って、カム溝の頂部凹部に突起が嵌入した状態が確実に保持されることによって、キーとキー溝の係合状態が外れることを阻止でき、ロック保持状態を強固に保つことができる。この状態では、係合状態が保たれることになり、ハンドルを強く押しながら前後させると、清掃用具本体に装着された清掃部材を床面に強く押し付けた状態で前後移動して、床面の清掃を確実に行うことができる。
【００３０】
本発明の第６の形態によれば、ハンドルを下向きに更に押下すると継手が下向きに移動して突起がカム溝の頂部凹所に嵌入した状態即ちロック保持状態が解かれる。次に、突起がカム溝の下部凹所に移動する際に、スプリングの付勢力で回転体が継手とともに上向きに移動する。この継手の上向きの移動によってキー溝とキーの係合状態が解除されてロック解除状態とすることができる。このように、ハンドルを更に押入することにより、ロック保持状態からロック解除状態にすることができるから、その操作が簡単である。また、ロック解除状態にすると、清掃用具本体に対してハンドルを回動可能とした清掃用具として使用することができ、床面を隅々まで清掃することができる。
【００３１】
本発明の第７の形態によれば、スプリングの付勢力によって継手が上向きに付勢されているから、キー溝とキーのロック保持状態が解除されると、継手は上向きに移動し、自動的にロック解除状態とすることができる。また、ロック解除状態でハンドルを回動する際に、スプリングが継手の底部のバネ受けで受けられているから、スプリングも継手と一緒に回動される。従って、ハンドルの回動による継手の回動に支障をきたすことがない。
【００３２】
本発明の第８の形態によれば、ハンドルを継手とともに下向きに押下してカム溝の上側の波状部に突起が当接した際に、この波状部の傾斜部分への突起の当接によって水平分力が生じ、回転体を所定の向きに回転することができる。従って、カム溝の頂部凹所から下部凹所に突起が自動的に移行し、ロック保持状態からロック解除状態に容易に移行することができる。
【００３３】
また、ロック解除状態からロック保持状態に移行する際も、ハンドルを継手とともに下向きに押下させると、突起が波状部の傾斜部分に当接して回転体を水平分力によって所定の向きに回転させることができる。従って、カム溝の下部凹所から頂部凹所に突起が自動的に移行し、ロック解除状態からロック保持状態に容易に移行することができる。
【００３４】
本発明の第９の形態によれば、ロック手段の別形態が提供される。ハンドルを継手とともに押下すると、継手に突設された弾性脚部が下向きに移動して、受部の縦壁部の係止孔に係入されてロック保持状態となる。従って、部品点数が少なくロック保持手段の構造を極めて簡単化することができる。また、ハンドルを押下だけでロック保持状態にすることができるから、ロック保持状態とする作業を簡単にできる。
【００３５】
本発明の第１０の形態によれば、第９形態におけるロック解除手段が提供される。受部の縦壁部の係止孔に外側から押圧手段が挿入されているから、この押圧手段を押すことによって、弾性脚部を係止孔から離脱することができる。従って、押圧手段を押す簡単な操作でロック保持状態を解除することができる。また、付勢手段で押圧手段を自動的に外向きに移動させることができる。従って、縦壁部の係止孔の内面側を常時開口状態とすることができ、ロック保持状態とするための弾性脚部を係止孔に係入可能な状態にすることができる。
【００３６】
例えば、押圧手段として押しボタンを用い、受部の縦壁部の係止孔に押しボタンの軸部を挿入する。この押しボタンの軸部の挿入によって弾性脚部を係止孔から内側に押入してロック保持状態を解除する。また、付勢手段として縦壁部の外面と押しボタンの頭部との間に介在するスプリングを用いる。このスプリングの付勢力で押しボタンを常時外向きに付勢し、縦壁部の係止孔の内面側を常時開口状態とし、弾性脚部を係止孔に係入可能な状態にすることができる。
【００３７】
本発明の第１１の形態によれば、縦壁部の係止孔に係入された弾性脚部の突起部を、手動によって縦壁部の内部に向けて押し出してロック保持状態を解除することができる。従って、手動によって弾性脚部の突起部の係入を解除できるから、ロック保持状態を簡単に解除することができる。例えば、キー溝を有する縦壁部に大径の係止孔を穿設し、キーに設けた弾性脚部に突起部を設ける。係止孔に突起部を係合させてロック保持状態とする。
【００３８】
次に、大径の係止孔に係合された弾性脚部の突起部を外側から指で押入してキー溝へのキーの係合状態を解除する。即ち、縦壁部の大径の係止孔が縦壁部の表面まで貫通して穿設されており、縦壁部の表面側から弾性脚部の突起部を指で内向きに押入し、突起部を係止孔から外してキーとキー溝の係合状態を解除するように構成するとよい。また、ピン部材を縦壁部の外側から係止孔に挿入し、このピン部材の先端で突起部を縦壁部の係止孔から内側に向けて外してキーとキー溝との係合状態を解除することも可能である。
【発明を実施するための最良の形態】
【００３９】
以下、本発明に係る清掃用具の実施の形態を、添付する図１〜図１１に基づいて詳細に説明する。
【００４０】
図１は本発明に係る清掃用具の第１実施形態を示し、ロック解除状態において清掃用具として使用する場合の斜視図である。図１に示すように、第１実施形態の清掃用具は、清掃用具本体１が左右の把持片２ａ、２ｂを有する把持部２で構成されている。これらの把持片２ａ、２ｂは閉脚可能に構成され、パイル３が植設されたモップ本体４のポケット部４ａ、４ａに挿入されて、このモップ本体４を保持するようになっている。
【００４１】
把持部２の上面には左右一対の受部５、５が突設されており、この受部５、５に、ハンドル６の下端に設けられた継手７が回動可能に嵌合されている。また、受部５，５にはその左右にキー溝５ａ、５ａが形成され、継手７にはその左右にキー７ａ、７ａが外向きに突設されている。更に、継手７にはハンドル６の下端の二股状の突片８、８が軸９によって継手７に対して左右に回動可能に取り付けられている。
【００４２】
図１の状態は、キー溝５ａ、５ａにキー７ａ、７ａが係合されていない状態を示している。従って、ハンドル６が清掃用具本体１の把持部２に対して前後方向及び左右方向に回動可能な状態となっている。この状態では、机やベッドの下側を清掃するときに、把持部２に対してハンドル６を斜め向きにして清掃することができる。また、狭い隙間に清掃用具本体１の把持部２を挿入して清掃することもできる。
【００４３】
図２は同清掃用具をロック保持状態において箒として使用する場合の斜視図である。図２に示すように、ハンドル６を下向きに押すと継手７のキー７ａ、７ａが受部５のキー溝５ａ、５ａに係合する。この状態では、清掃用具本体１の把持部２に対してハンドル６の回動が阻止され、把持部２とハンドル６が一体化される。この状態でハンドル６を前後方向に動かすことにより、把持部２がハンドル６と一体的に前後方向に移動して床等の塵埃を清掃することができる。
【００４４】
図３は図１のロック解除状態における要部の縦断面図である。図３に示すように、継手７は上部側の継手本体１０と下部側の有底筒状の下部部材１１と回転体１２とで構成されている。継手本体１０の下部には筒状部１３が下向きに突設され、この筒状部１３の下端には外向きに鍔状部１３ａが形成されている。鍔状部１３ａの上に回転体１２が回動可能に据置されており、この回転体１２には後述するカム溝１４が形成されている。回転体１２のカム溝１４には下部部材１１の内周面から内向きに突設された突起１５が嵌められている。
【００４５】
また、下部部材１１の底部の中央に設けられたバネ受け１６と筒状部１３の内部との間に、継手本体１０を上向きに付勢するスプリング１７が配設されている。更に、下部部材１１の内面上部の左右に縦溝１８、１８が形成されており、継手本体１０の上下方向略中央部の左右に形成された係合片１９、１９が下部部材１１の縦溝１８、１８に係合されている。この縦溝１８、１８に対して係合片１９、１９は上下移動可能に係合されている。
【００４６】
また、下部部材１１の外面の左右両側には外向きに軸部２０、２０が突設されている。受部５、５の内側面の左右に形成された軸挿入孔２１、２１に軸部２０、２０が挿入され、継手７が受部５，５に対して回動可能となっている。図３の状態では、受部５、５のキー溝５ａ、５ａに継手７のキー７ａ、７ａが係合されずに受部５、５に対して継手７が前後方向に回動可能な状態になっている。この状態では、清掃用具即ちモップとして使用することができる。
【００４７】
図４は図２のロック保持状態における要部の縦断面図である。図４に示すように、ハンドル６を押下すると継手７が下向きに移動し、継手７のキー７ａ、７ａが受部５のキー溝５ａ、５ａに係合される。この状態では、継手７が受部５に対して回動を阻止された状態となっている。この状態では、前後向きに掃くことができる。
【００４８】
図５は図１、図３のロック解除状態における要部の部分断面斜視図である。図５に示すように、回転体１２は円筒形状に形成されており、その外周面にカム溝１４が形成されている。このカム溝１４は、下側の頂部凹所２２と下部凹所２３が傾斜面を経て連設され、上側に波状部２４が設けられている。図５では突起１５がカム溝１４の下部凹所２３に嵌められており、回転体１２は上側に位置している。この状態では、継手７のキー７ａ、７ａが受部５のキー溝５ａ、５ａに係合せずに、継手７は受部５に対して回動可能な状態になっている。
【００４９】
図６は図２、図４のロック保持状態における要部の部分断面斜視図である。図６に示すように、ハンドル６を押下すると継手本体１０が下側に向けて移動し、後述するように波状部２４に突起１５が当接し、その水平分力で回転体１２が回転する。次に回転体１２が若干下向きに移動して突起１５がカム溝１４の下側の頂部凹所２２に嵌入され、継手７のキー７ａが受部５のキー溝５ａに係合した状態が保持されてロック保持状態となる。この状態で継手７の上側のハンドル６の回動が阻止されて前後方向へ掃くことが可能となる。
【００５０】
図７はロック解除状態からロック保持状態に到る過程を示し、（７Ａ）はロック解除状態であり、回転体の下部凹所に突起が嵌入された状態を示す回転体の展開図、（７Ｂ）は下部凹所の真上の波状部に突起が当接した状態を示す回転体の展開図、（７Ｃ）は波状部の上部凹所に突起が嵌入した状態を示す回転体の展開図、（７Ｄ）は頂部凹所の傾斜面に突起が当接した状態を示す回転体の展開図、（７Ｅ）は頂部凹所に突起が嵌入したロック保持状態の展開図である。尚、図７においては、便宜上突起が移動しているように図示しているが、実際は突起は静止しており、回転体が回転するものである。
【００５１】
（７Ａ）に示すように、回転体１２の外周のカム溝１４は下部凹所２３と次の下部凹所２３が９０度間隔に形成されている。同様に、下部凹所２３と傾斜面を経て連なる頂部凹所２２と次の頂部凹所２２が形成されている。一方、カム溝１４の上側の波状部２４は、頂部凹所２２の真上位置と下部凹所２３の真上位置とが図にて左上がりの傾斜面２５、２６となっている。また、頂部凹所２２の右側は、左下がりの傾斜面２２ａとなっており、下部凹所２３の右側も左下がりの傾斜面２３ａとなっている。（７Ａ）は、突起１５が下部凹所２３に嵌入した状態を示しており、ロック解除状態になっている。（７Ｂ）に示すように、回転体１２が下向きに移動すると、突起１５が下部凹所２３の真上の傾斜面２６に当接する。（７Ｃ）に示すように、次に、突起１５は波状部２４の第１上向き凹所２４ａに嵌入される。（７Ｄ）に示すように、回転体１２が上向きに移動すると、突起１５が頂部凹所２２の傾斜面２２ａに当接する。更に、（７Ｅ）に示すように、突起１５が頂部凹所２２に嵌入してロック保持状態になる。
【００５２】
図８はロック解除状態からロック保持状態に到る過程における回転体の回転状態を示し、（８Ａ）は突起が下部凹所の真上の傾斜面に当接したときの状態を示す回転体の部分拡大展開図、（８Ｂ）は突起が頂部凹所の傾斜面に当接したときの状態を示す回転体の部分拡大展開図である。尚、この図８においては、回転体の端部を図７に対してずらした他の位置にしている。（８Ａ）に示すように、回転体１２が下向きに移動すると、突起１５が下部凹所２３の真上の傾斜面２６に当接する。この状態では、傾斜面２６に対して斜め上向きの作用力Ｆが作用し、この作用力Ｆは上向きの垂直分力ｇと水平分力ｆに分かれる。この水平分力ｆによって、回転体１２は図にて右向きに回転する。また、（８Ｂ）に示すように、回転体１２が上向きに移動すると、突起１５が頂部凹所２２の図にて右側の傾斜面２２ａに当接する。この状態では、傾斜面２２ａに対して斜め下向きの作用力Ｆが作用し、この作用力Ｆは下向きの垂直分力ｇ１と水平分力ｆに分かれる。この水平分力ｆによって、回転体１２は図にて右向きに回転する。
【００５３】
図９はロック保持状態からロック解除状態に到る過程を示し、（９Ａ）はロック保持状態であり、回転体の頂部凹所に突起が嵌入された状態を示す回転体の展開図、（９Ｂ）は頂部凹所の真上の波状部に突起が当接した状態を示す回転体の展開図、（９Ｃ）は波状部の上部凹所に突起が嵌入した状態を示す回転体の展開図、（９Ｄ）は下部凹所の傾斜面に突起が当接した状態を示す回転体の展開図、（９Ｅ）は下部凹所に突起が嵌入したロック解除状態の展開図である。尚、この図９は図７に対して回転体の位置を９０度ずらして展開図としている。また、図９においては、便宜上突起が移動しているように図示しているが、実際は突起は静止しており、回転体が回転するものである。
【００５４】
（９Ａ）は、突起１５が頂部凹所２２に嵌入した状態を示しており、ロック保持状態になっている。（９Ｂ）に示すように、回転体１５が下向きに移動すると、突起１５が頂部凹所２２の真上の傾斜面２５に当接する。（９Ｃ）に示すように、次に突起１５が波状部２４の第２上向き凹所２４ｂに嵌入される。（９Ｄ）に示すように、回転体１２が上向きに移動すると、突起１５が下部凹所２３の傾斜面２３ａに当接する。更に、（９Ｅ）に示すように、突起１５が下部凹所２３に嵌入してロック解除状態になる。
【００５５】
図１０はロック状態からロック解除状態に到る過程における回転体の回転状態を示し、（１０Ａ）は突起が頂部凹所の真上の傾斜面に当接したときの状態を示す部分拡大展開図、（１０Ｂ）は突起が下部凹所の傾斜面に当接したときの状態を示す部分拡大展開図である。尚、この図１０においては、回転体の端部を図９に対してずらした他の位置にしている。（１０Ａ）に示すように、回転体１２が下向きに移動すると、突起１５が頂部凹所２２の真上の傾斜面２５に当接する。この状態では、傾斜面２５に対して斜め上向きの作用力Ｆが作用し、この作用力Ｆは上向きの垂直分力ｇと水平分力ｆに分かれる。この水平分力ｆによって、回転体１２は図にて右向きに回転する。また、（１０Ｂ）に示すように、回転体１２が上向きに移動すると、突起１５が下部凹所２３の図にて右側の傾斜面２３ａに当接する。この状態では、傾斜面２３ａに対して斜め下向きの作用力Ｆが作用し、この作用力Ｆは下向きの垂直分力ｇ１と水平分力ｆに分かれる。この水平分力ｆによって、回転体１２は図にて右向きに回転する。
【００５６】
図１１は第２実施形態の清掃用具のロック保持状態の要部の縦断面図である。図１１に示すように、この第２実施形態の清掃用具は、清掃用具本体１の把持部２の上面に左右一対の受部５、５が突設されている。この受部５、５にハンドル６の下端の継手７が回動可能に嵌合されている。受部５、５には縦壁部２７、２７がそれぞれ設けられ、これらの縦壁部２７、２７にキー溝２７ａ、２７ａが形成されている。継手７にはその左右にキー７ａ、７ａが外向きに突設されている。
【００５７】
また、継手７のキー７ａ、７ａには、その下面から下向きに弾性脚部２８、２８が外向きに付勢された状態で一体に設けられている。更に、縦壁部２７、２７には弾性脚部２８、２８の下端の突起部２８ａ、２８ａが係入される係止孔２７ｂ、２７ｂが穿設されている。係止孔２７ｂ、２７ｂは段部を介して外側が小孔２７ｃ、２７ｃに形成されており、この小孔２７ｃ、２７ｃに外側から押しボタン２９、２９の軸部２９ａ、２９ａがそれぞれ挿入されている。押しボタン２９、２９の軸部２９ａ、２９ａの先端には雄ネジが形成され、係止孔２７ｂ、２７ｂの内部に配設されたナット部材３０の雌ネジにこの雄ネジが螺合されている。
【００５８】
また、押しボタン２９、２９の外側端部と縦壁部２７、２７の外面の間には、スプリング３１、３１が介在されて押しボタン２９、２９を外向きに付勢している。図１１は弾性脚部２８、２８の突起部２８ａ、２８ａが係止孔２７ｂ、２７ｂに係入された状態を示し、この状態ではキー７ａ、７ａがキー溝２７ａ、２７ａに係合されたロック保持状態を示している。この状態では、継手７が受部５，５に対して回動を阻止された状態で前後方向に掃いて使用できる。
【００５９】
また、継手７は上部側の継手本体３２と下部側の有底筒状の下部部材３３とで構成されている。継手本体３２の下部には筒状部３４が下向きに突設され、この筒状部３４内と下部部材３３の底部の中央に設けられたバネ受け３５との間に、継手本体３２を上向きに付勢するスプリング３６が配設されている。
【００６０】
図１２は同清掃用具のロック解除状態に到る途中の状態を示す要部の縦断面図である。図１２に示すように、押しボタン２９、２９を押し込むと弾性脚部２８の突起部２８ａが内向きに押され、突起部２８ａが係止孔２７ｂから内側に向けて外れる。
【００６１】
図１３は同清掃用具のロック解除状態における要部の縦断面図である。図１３に示すように、弾性脚部２８の突起部２８ａが係止孔２７ｂから外れると、スプリング３６の付勢力で継手本体３２が上向きに移動する。この状態では、縦壁部２７のキー溝２７ａと継手７のキー７ａとの係合状態が解除されて、継手７が受部５に対して回動可能な状態になる。この状態で清掃用具即ちモップとして使用することができる。
【００６２】
尚、上記実施形態においては、清掃用具としてモップについて説明したが、これに限らず、清掃部材として細長な布等を用いた各種の清掃用具にも適用できることができる。また、清掃用具本体が把持部からなるものについて説明したが、これに限らず、パイルや細長の布等を清掃用具本体に直接植設したものなどにも適用することができる。
【００６３】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００６４】
この発明に係る清掃用具は、家庭や事務所や工場の床、及び店舗の床などを清掃するときに用いられ、モップ等の清掃部材を取り外し可能なものでは、この清掃部材を定期的に取り替えてメーカーなどからユーザーにレンタルするようにしてもよいものである。
【図面の簡単な説明】
【００６５】
【図１】本発明に係る清掃用具の第１実施形態を示し、ロック解除状態において清掃用具として使用する場合の斜視図である。
【図２】同清掃用具をロック保持状態において箒として使用する場合の斜視図である。
【図３】図１のロック解除状態における要部の縦断面図である。
【図４】図２のロック保持状態における要部の縦断面図である。
【図５】図１、図３のロック解除状態における要部の部分断面斜視図である。
【図６】図２、図４のロック保持状態における要部の部分断面斜視図である。
【図７】ロック解除状態からロック保持状態に到る過程を示し、（７Ａ）はロック解除状態であり、回転体の下部凹所に突起が嵌入された状態を示す回転体の展開図、（７Ｂ）は下部凹所の真上の波状部に突起が当接した状態を示す回転体の展開図、（７Ｃ）は波状部の上部凹所に突起が嵌入した状態を示す回転体の展開図、（７Ｄ）は頂部凹所の傾斜面に突起が当接した状態を示す回転体の展開図、（７Ｅ）は頂部凹所に突起が嵌入したロック保持状態の展開図である。
【図８】ロック解除状態からロック保持状態に到る過程における回転体の回転状態を示し、（８Ａ）は突起が下部凹所の真上の傾斜面に当接したときの状態を示す回転体の部分拡大展開図、（８Ｂ）は突起が頂部凹所の傾斜面に当接したときの状態を示す回転体の部分拡大展開図である。
【図９】ロック保持状態からロック解除状態に到る過程を示し、（９Ａ）はロック保持状態であり、回転体の頂部凹所に突起が嵌入された状態を示す回転体の展開図、（９Ｂ）は頂部凹所の真上の波状部に突起が当接した状態を示す回転体の展開図、（９Ｃ）は波状部の上部凹所に突起が嵌入した状態を示す回転体の展開図、（９Ｄ）は下部凹所の傾斜面に突起が当接した状態を示す回転体の展開図、（９Ｅ）は下部凹所に突起が嵌入したロック解除状態の展開図である。
【図１０】ロック状態からロック解除状態に到る過程における回転体の回転状態を示し、（１０Ａ）は突起が頂部凹所の真上の傾斜面に当接したときの状態を示す部分拡大展開図、（１０Ｂ）は突起が下部凹所の傾斜面に当接したときの状態を示す部分拡大展開図である。
【図１１】第２実施形態の清掃用具のロック保持状態における要部の縦断面図である。
【図１２】同清掃用具のロック解除状態に到る途中の状態を示す要部の縦断面図である。
【図１３】同清掃用具のロック解除状態の要部の縦断面図である。
【図１４】従来の清掃用具等柄の継ぎ手を示し、（１２Ａ）はその清掃具等柄の継手を有するモップの分解斜視図、（１２Ｂ）はその継手の分解斜視図である。
【図１５】従来の清掃具を示し、（１３Ａ）はその正面図、（１３Ｂ）は拭布を取り付けた状態の清掃具の側面図である。
【符号の説明】
【００６６】
１        清掃用具本体
２        把持部
２ａ      把持片
２ｂ      把持片
３        パイル
４        モップ本体
４ａ      ポケット部
５        受部
５ａ      キー溝
６        ハンドル
７        継手
７ａ      キー
８        突片
９        軸
１０      継手本体
１１      下部部材
１２      回転体
１３      筒状部
１３ａ    鍔状部
１４      カム溝
１５      突起
１６      バネ受け
１７      スプリング
１８      縦溝
１９      係合片
２０      軸部
２１      軸挿入孔
２２      頂部凹所
２２ａ    傾斜面
２３      下部凹所
２３ａ    傾斜面
２４      波状部
２４ａ    第１上向き凹所
２４ｂ    第２上向き凹所
２５      傾斜面
２６      傾斜面
２７      縦壁部
２７ａ    キー溝
２７ｂ    係止孔
２７ｃ    小孔
２８      弾性脚部
２８ａ    突起部
２９      押しボタン
２９ａ    軸部
３０      ナット部材
３１      スプリング
３２      継手本体
３３      下部部材
３４      筒状部
３５      バネ受け
３６      スプリング
【図１】
2006271570.tif 000003
【図２】
2006271570.tif 000004
【図３】
2006271570.tif 000005
【図４】
2006271570.tif 000006
【図５】
2006271570.tif 000007
【図６】
2006271570.tif 000008
【図７】
2006271570.tif 000009
【図８】
2006271570.tif 000010
【図９】
2006271570.tif 000011
【図１０】
2006271570.tif 000012
【図１１】
2006271570.tif 000013
【図１２】
2006271570.tif 000014
【図１３】
2006271570.tif 000015
【図１４】
2006271570.tif 000016
【図１５】
2006271570.tif 000017